(57)【特許請求の範囲】
【請求項１】
ブレーカの操作を補助するためのブレーカ操作棒であって、
２つの棒状構成部材によって構成される棒状部材を備え、
一方の棒状構成部材は、一端部に握り部が形成され、また、他端部に他方の棒状構成部材と連結可能な第１の連結部が形成されており、
他方の棒状構成部材は、一端部に前記第１の連結部と連結する第２の連結部が形成され、また、他端部に軸方向に延設された対をなす固定片に回転可能に支持された１つのローラを備えており、
前記一方の棒状構成部材に設けられる第１の連結部と前記他方の棒状構成部材に設けられる第２の連結部とは、互いになす角度を調節可能に連結されることを特徴とするブレーカ操作棒。
【請求項２】
前記棒状部材には、所定の固定手段を介して発光装置が固定されていることを特徴とする請求項１記載のブレーカ操作棒。
【請求項３】
前記所定の固定手段には、前記発光装置の固定位置又は固定角度を調節可能にする手段が設けられていることを特徴とする請求項２記載のブレーカ操作棒。
【請求項４】
前記棒状部材には、蛍光材が配されていることを特徴とする請求項１〜３のいずれか１つに記載のブレーカ操作棒。
【発明の詳細な説明】
【技術分野】
【０００１】
本発明は、住宅等において過電流、漏電等を防止するためのブレーカの操作を補助するための道具に関するものである。
【背景技術】
【０００２】
電気の使用可能な住宅等の建物には、過電流、漏電等を防止するためのブレーカが設置されている。図１２に示すのは、一般的なブレーカ１００の構成であり、漏電遮断器１０１、安全ブレーカ１０２、及び一部の地域を除いてアンペアブレーカ１０３が配されている。漏電遮断器１０１は、電気製品や屋内配線の漏電を検知した場合、また一定以上の電流が流れた場合に自動的に電気を遮断する機器である。安全ブレーカ１０２は、建物内で区分けされた複数の回路毎に設けられ、容量以上の電気の使用、ショート等を検知した場合に、その回路のみを遮断し、建物全体の停電を防ぐ効果を奏するものである。アンペアブレーカ１０３は、電力会社と契約した電流量以上の電流が流れた場合に遮断する機器である。図１３（ａ），（ｂ）に示すのは、前記漏電遮断器１０１の一般的な構成であり、上下に摺動するレバースイッチ状のハンドル１０５、漏電表示ボタン１０６、テストボタン１０７を備えている。ハンドル１０５は、図１３（ｂ）中実線で示すように、上方に位置している時には、「入」即ち通電可能状態となり、同図中一点鎖線で示すように、下方に位置している時には、「切」即ち電気遮断状態となる。漏電表示ボタン１０６は、通常時においては押された（突出していない）状態となっているが、漏電を原因として電気の遮断が行われた場合には、図１３（ｂ）中破線で示すように突出した状態となるものである。また、ブレーカの種類によっては、電気遮断後、図１３（ｂ）中二点鎖線で示すように、ハンドル１０５が中立位置にトリップし、一度「切」にしなければ「入」にすることができないものや、漏電表示ボタン１０６が突出した場合には、該ボタン１０６を押してからでないとハンドル１０５を「入」にすることができない場合がある。
【０００３】
上記のようなブレーカは、通常高い場所に設置されているうえ、夜間の電気遮断時には暗闇での操作を強いられるため、その操作を補助する道具の必要性が高いものである。また、稀にしか操作されないため塵埃が堆積しやすく、また感電に対する恐怖心等からハンドルを直接手で触れることを躊躇する人も多い。このような問題の解決を図るものとして、次のような従来技術が開示されている。この従来技術は、ブレーカの各ハンドルと引き紐とが所定の連結具により連結され、該引き紐がブレーカボックスから垂下されてなるものであり、これによりブレーカが「切」の状態となり停電した場合に、前記引き紐を引くことにより、ハンドルを「入」の状態に復旧させることができるとするものである（特許文献１参照）。
【特許文献１】特願平１１−２９７１８２公報
【発明の開示】
【発明が解決しようとする課題】
【０００４】
しかしながら、上記特許文献１に開示される構成においては、ハンドルを「切」から「入」へと変更する操作しかできない。このため、電気遮断後ハンドルが中立位置にトリップし、一度「切」にしてからでないと「入」にすることができないタイプや、漏電表示ボタンを押してからでないとハンドルを「入」にすることができないタイプのブレーカに対しては、適用が不十分又は不可能である。また、停電時には暗闇での操作を強いられることが多いため、たとえ上記引き紐があったとしても、該引き紐を見つけること自体が困難となる場合がある。
【０００５】
そこで、本発明は、ブレーカの操作を補助する道具において、様々な状況、及びブレーカのタイプに適応して、安全且つ簡便な操作を可能にすることを課題とするものである。
【課題を解決するための手段】
【０００６】
上記課題を達成するために、本発明に係るブレーカの操作を補助するためのブレーカ操作棒は、２つの棒状構成部材によって構成される棒状部材を備え、一方の棒状構成部材は、一端部に握り部が形成され、また、他端部に他方の棒状構成部材と連結可能な第１の連結部が形成されており、他方の棒状構成部材は、一端部に前記第１の連結部と連結する第２の連結部が形成され、また、他端部に軸方向に延設された対をなす固定片に回転可能に支持された１つのローラを備えており、前記一方の棒状構成部材に設けられる第１の連結部と前記他方の棒状構成部材に設けられる第２の連結部とは、互いになす角度を調節可能に連結されることを特徴とするものである。
【０００７】
この構成によれば、ブレーカのハンドル、ボタン等を操作する際に、ブレーカ操作棒のローラを操作しようとする対象物にあてがい、ローラを転がすようにブレーカ操作棒を操作することにより、簡便且つ安全に目的の操作を実行することができる。これにより、高所にあるブレーカに手が届かない場合に特に有効に利用することができ、またブレーカに直接手を触れることがないので、感電に対する恐れ等を軽減することができる。更に、ブレーカ毎に設備を取り付ける必要がないので、経済的にも優れたものである。
【０００８】
また、棒状部材は、２つの棒状構成部材からなり、これら棒状構成部材が、隣り合う棒状構成部材の互いになす角度を調節可能に連結されているので、操作性を向上させることができる。例えば、各棒状構成部材の連結部に菊座が形成されていることにより、隣り合う棒状構成部材を堅固に且つ角度調節可能に連結することができる。
【０００９】
また、上述の構成において、棒状部材には、所定の固定手段を介して発光装置が固定されていることが好ましい。
【００１０】
このように、棒状部材に懐中電灯等の発光装置が固定されていることにより、暗闇の中での操作も安全に実行することができる。
【００１１】
また、前記所定の固定手段には、前記発光装置の固定位置又は固定角度を調節可能にする手段が設けられていることが好ましい。
【００１２】
これにより、更に利便性を向上させることができる。
【００１３】
また、上述したいずれかの構成において、前記棒状部材には、蛍光材が配されていることが好ましい。
【００１４】
これにより、暗闇の中でもブレーカ操作棒本体を容易に見つけ出すことができる。
【発明を実施するための最良の形態】
【００１５】
以下、添付した図面を参照して本発明の実施例を説明する。本発明に係るブレーカ操作棒１は、円柱部材２、角柱部材３、握り部４、懐中電灯５、電灯固定手段６、蛍光材７、ローラ８を有して構成されている。
【００１６】
円柱部材２は、電気絶縁性の素材からなり、その一端（下端）部に握り部４が形成され、他端（上端）部に、角柱部材３と連結する円柱側連結部１０が形成されている。角柱部材３は、電気絶縁性の素材からなり、その一端（下端）部に、前記円柱側連結部１０と連結する角柱側連結部１１が形成され、他端（上端）部に、ローラ８が回転可能に固定されている。握り部４は、滑りにくい材質の帯状の素材が巻かれた部分である。懐中電灯５は、電球、電池、スイッチ１４等を備えて構成される公知のものである。電灯固定手段６は、懐中電灯５を円柱部材６の握り部４よりも上部側に固定するための部材である。蛍光材７は、所定の蛍光塗料が塗布された帯状の部材であり、円柱部材６の電灯固定手段６よりも上部側に１つ以上（本実施例においては２つ）固定されている。ローラ８は、円柱状の部材であり、少なくともその表面がゴム等の可塑性の素材により形成され、角柱部材３の上端部に形成された２枚の固定片１６の間に回転可能の軸支されている。
【００１７】
図２は、上記ブレーカ操作棒１の全体像を示す図である。円柱部材２の長さａは１ｍ前後、角柱部材３下端からローラ８先端までの長さｂは３０ｃｍ前後、握り部４の長さｃは２０ｃｍ前後、握り部４上端から懐中電灯５上端までの長さｄは１５ｃｍ前後であることが好適である。また、円柱部材２をテレスコピックパイプ等を利用して構成し、ａを変更可能にすることも好ましい。
【００１８】
図３は、円柱部材２の円柱側連結部１０と、角柱部材３の角柱側連結部１１との連結状態を示すものである。円柱側連結部１０には通孔２０が形成されていると共に、角柱側連結部１１には通孔２１が形成されている。これらの通孔２０，２１にはねじ棒２２が挿通され、このねじ棒２２の一端側は所定の固定具２３により円柱側連結部１０の外面から通孔２０内部に入り込まないように固定されると共に、他端側はこれに螺合される蝶ねじ２４を角柱側連結部１１の外面に締め付けることにより固定される。
【００１９】
また、円柱側連結部１０と角柱側連結部１１との接合面２７には、図４（ａ），（ｂ）に示すように、菊座３０，３１が形成されている。本実施例においては、円柱側連結部１０側の菊座３０には複数の凸部３３が放射状に形成され、角柱側連結部１１側の菊座３１には複数の凹部３４が放射状に形成されており、連結時には、これらの凸部３３と凹部３４とが嵌合するようになされている。上記構成により、円柱部材２と角柱部材３との堅固な連結が可能となると共に、菊座３０，３１の噛み合わせ位置を変更することにより、図５に示すように、角柱部材３を円柱部材２に対して任意の角度に調節することができる。
【００２０】
図６及び図７は、電灯固定手段６の構造を示すものである。電灯固定手段６は、円柱部材２の外周面に当接する断面視略円形に湾曲された円形部４０、円形部４０の懐中電灯５が配置される側の反対側の部分から延設された２枚の片部４１，４２、各片部４１，４２に穿設された穴４３に挿通され該片部４１，４２を互いに締め付け可能にするねじ棒４４及びナット４５、円形部４０とは別体で構成され円形部４０の片部４１，４２の反対側から延設され内部に通孔４６が穿設された棒状部４７、棒状部４７の通孔４６に挿通されナット４８により円形部４０に固定されたねじ棒４９、該ねじ棒４９の棒状部４７より外部に突出した部分に螺合された蝶ねじ５０、棒状部４７と一体に形成され懐中電灯５が固定された固定部５１を有して構成されている。この構成により、懐中電灯５を電灯固定手段６を介して円柱部材２に固定することができる。また、前記辺部４１，４２に挿通されたねじ棒４４に固定されたハンドル５２を緩め、前記円形部４０を円柱部材２に沿ってスライドさせることにより、懐中電灯５の長手方向の位置を調節することができると共に、前記蝶ねじ５０を緩め、前記棒状部４７を回動させることにより、懐中電灯５の角度を調節することができる。また、円形部４０と棒状部４７との接合面５５は、上記した円柱側連結部１０と角柱側連結部１１との接合面２７（図４（ａ），（ｂ）参照）と同様に、菊座が形成されている。
【００２１】
以下に、上記構成のブレーカ操作棒２の利用法を示す。図８（ａ），（ｂ）に示すのは、ブレーカ６０のハンドル６１を、「切」から「入」の状態に変える時の操作である。この場合、先ず図８（ａ）に示すように、下方位置即ち「切」の状態にあるハンドル６１の下方にブレーカ操作棒１のローラ８をあてがい、次いで図中矢印の方向（上方）にローラ８を転がすようにブレーカ操作棒１を持ち上げていく。この操作により、図８（ｂ）に示すように、ハンドル６１を上方の「入」の位置に移動させることができる。
【００２２】
図９（ａ），（ｂ）に示すのは、ブレーカ６０のハンドル６１を「入」から「切」の状態に変える時の操作である。この場合、先ず図９（ａ）に示すように、上方位置即ち「入」の状態にあるハンドル６１の上方にブレーカ操作棒１のローラ８をあてがい、次いで図中矢印の方向（下方）にローラ８を転がすようにブレーカ操作棒１を引き下げていく。この操作により、図９（ｂ）に示すように、ハンドル６１を下方の「切」の位置に移動させることができる。また、ハンドル６１がトリップ状態（図１３（ｂ）二点鎖線参照）にある場合にも、これと同様の操作により「切」の位置に移動させることができる。
【００２３】
図１０（ａ），（ｂ）及び図１１（ａ），（ｂ）に示すのは、ブレーカ６０の漏電表示ボタン６３（図１３中１０６参照）を、突出した状態から押された状態に変える時の操作である。この場合、図１０（ａ）に示すように、先ず漏電表示ボタン６３の下方にブレーカ操作棒１のローラ８を位置させ、次いで同図中矢印の方向（上方）にローラ８を転がすようにブレーカ操作棒１を押し上げていく。この操作により、図１０（ｂ）に示すように、漏電表示ボタン６３を押された状態にすることができる。また、図１１（ａ）に示すように、先ず漏電表示ボタン６３の上方にブレーカ操作棒１のローラ８を位置させ、次いで同図中矢印の方向（下方）にローラ８を転がすようにブレーカ操作棒１を引き下げていく。この操作によっても、図１１（ｂ）に示すように、漏電表示ボタン６３を押された状態にすることができる。
【００２４】
また、前記懐中電灯５を適宜使用することにより、上記図８〜図１１の操作を暗闇においても確実に行うことができる。更に、本発明のブレーカ操作棒１には、蛍光材７が配されていることにより、暗闇においてもブレーカ操作棒１本体を容易に見つけ出すことができる。
【図面の簡単な説明】
【００２５】
【図１】本発明に係るブレーカ操作棒の構造を示す斜視図である。
【図２】ブレーカ操作棒の全体像を示すと共に、各構成部分の寸法を説明するための図である。
【図３】円柱側連結部と角柱側連結部との連結状態を示す図である。
【図４】（ａ）は、円柱側連結部の接合面の構造を示す図であり、（ｂ）は、角柱側連結部の接合面の構造を示す図である。
【図５】角柱部材の連結可能な状態を示す図である。
【図６】電灯固定手段の構造を示すための上面から見た断面図である。
【図７】電灯固定手段の構造を示すための側面図である。
【図８】（ａ）及び（ｂ）は、ブレーカを「切」から「入」にする時のブレーカ操作棒の使用法を説明するための図である。
【図９】（ａ）及び（ｂ）は、ブレーカを「入」から「切」にする時のブレーカ操作棒の使用法を説明するための図である。
【図１０】（ａ）及び（ｂ）は、漏電表示ボタンを押す時のブレーカ操作棒の使用法を説明するための図である。
【図１１】（ａ）及び（ｂ）は、漏電表示ボタンを押す時のブレーカ操作棒の別の使用法を説明するための図である。
【図１２】一般的な家庭用ブレーカの構成を示す図である。
【図１３】（ａ）は、漏電ブレーカの構成を示す正面図であり、（ｂ）は、同漏電ブレーカの構成を示す側面図である。
【符号の説明】
【００２６】
１  ブレーカ操作棒
２  円柱部材（棒状部材、棒状構成部材）
３  角柱部材（棒状部材、棒状構成部材）
５  懐中電灯（発光装置）
６  電灯固定手段
７  蛍光材
８  ローラ
１０  円柱側連結部
１１  角柱側連結部
３０，３１  菊座
６０  ブレーカ
６１  ハンドル
６３  漏電表示ボタン
【図１】
0004703320.tif 000002
【図２】
0004703320.tif 000003
【図３】
0004703320.tif 000004
【図４】
0004703320.tif 000005
【図５】
0004703320.tif 000006
【図６】
0004703320.tif 000007
【図７】
0004703320.tif 000008
【図８】
0004703320.tif 000009
【図９】
0004703320.tif 000010
【図１０】
0004703320.tif 000011
【図１１】
0004703320.tif 000012
【図１２】
0004703320.tif 000013
【図１３】
0004703320.tif 000014